(57)【要約】【課題】既設の設備を利用して簡単に通信異常の状態を復旧させることができる遠方監視制御システムを提供する。【解決手段】遠方監視処理装置８を有する中央監視局１が幹線ネットワーク９及びネットワークスイッチ４を経由し遠方監視制御子局１１に監視制御命令を送信し、広帯域モデム１０，１４による通信により、遠方監視制御子局１５に監視制御命令を送信することにより監視制御対象設備１２，１６の監視制御を遠方監視制御子局１１，１５に実行させ、監視情報を取得する遠方監視制御システムにおいて、広帯域モデム１０，１４にリセット回路を設け、遠方監視制御子局１５から監視情報が一定時間以上送信されない場合に監視処理装置８が遠方監視制御子局１１にリセット命令を送り広帯域モデム１０のリセット回路を動作させ、遠方監視制御子局１５は監視処理装置８から一定時間以上監視制御命令が途絶えた場合に広帯域モデム１４のリセット回路を動作させる。【選択図】図１
2012123698.tif 000002
【特許請求の範囲】
【請求項１】
遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、リセット回路を設け、
上記遠方監視処理装置は、上記Ｂ地点に設置された遠方監視制御子局からの監視情報を一定時間以上受信しない場合に、上記Ａ地点に設置された遠方監視制御子局にリセット信号を送信し、上記Ａ地点に設置された遠方監視制御子局が上記Ａ地点に設置された通信モデムのリセット回路にリセット信号を入力することにより上記Ａ地点に設置された通信モデムをリセットし、
上記Ｂ地点に設置された遠方監視制御子局は、上記遠方監視処理装置から上記監視制御命令を一定時間以上受信しない場合に、上記Ｂ地点に設置された通信モデムのリセット回路にリセット信号を入力することにより上記Ｂ地点に設置された通信モデムをリセットすることを特徴とする遠方監視制御システム。
【請求項２】
遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、自通信モデムの異常時にリセット信号を発生するアラーム回路とリセット回路とを設け、
上記Ａ地点及びＢ地点の通信モデムは、上記異常が発生した際に、自通信モデムの上記アラーム回路から自通信モデムのリセット回路に上記リセット信号を出力して自通信モデムをリセットすることを特徴とする遠方監視制御システム。
【請求項３】
遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、自通信モデムの異常時にアラームを発生するアラーム回路とリセット回路を設け、
上記Ａ地点の通信モデムは、上記異常が発生した際に、上記Ａ地点の遠方監視制御子局に対してアラーム信号を送信し、上記アラーム信号が送信されたＡ地点の遠方監視制御子局が上記Ａ地点の通信モデムの上記リセット回路にリセット信号を送信して上記Ａ地点の通信モデムをリセットし、
上記Ｂ地点の通信モデムは、上記異常が発生した際に、上記Ｂ地点の遠方監視制御子局に対してアラーム信号を送信し、上記アラーム信号が送信された上記Ｂ地点の遠方監視制御子局が上記Ｂ地点の通信モデムの上記リセット回路にリセット信号を送信して上記Ｂ地点の通信モデムをリセットすることを特徴とする遠方監視制御システム。
【請求項４】
遠方監視処理装置を有する中央監視局が、上記中央監視局とＡ地点との間のネットワーク及び上記Ａ地点のネットワークスイッチを介した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、リセット回路を設け、
上記Ｂ地点の通信モデムと上記Ａ地点の遠方監視制御子局とは、上記Ａ地点の遠方監視制御子局から上記Ｂ地点の通信モデムの上記リセット回路へリセット信号を送信するためのリセット信号線で接続され、
上記遠方監視処理装置は、上記Ｂ地点の遠方監視制御子局から監視情報を一定時間以上受信しない場合に、上記Ａ地点の遠方監視制御子局に対してリセット信号を送信し、上記リセット信号が送信されたＡ地点の遠方監視制御子局が上記Ａ地点の通信モデムの上記リセット回路にリセット信号を送信して上記Ａ地点の通信モデムをリセットし、上記Ａ地点の遠方監視制御子局が上記リセット信号線を経由して上記Ｂ地点の通信モデムの上記リセット回路にリセット信号を送信して上記Ｂ地点の通信モデムをリセットすることを特徴とする遠方監視制御システム。
【請求項５】
上記Ａ地点に設置された通信モデム及び上記Ｂ地点に設置された通信モデムそれぞれに、上記リセット信号を除去し上記リセット信号の周波数より高い周波数の信号を通過させる高域通過フィルターを設け、
上記Ａ地点に設置された遠方監視制御子局と上記Ｂ地点に設置された通信モデムのリセット入力部それぞれに上記高い周波数の信号を除去し上記リセット信号を通過させる低域通過フィルターを接続し、
上記Ａ地点の通信モデムに設けられた高域通過フィルター及び上記Ａ地点に設置された遠方監視制御子局に接続された低域通過フィルターと、上記Ｂ地点の通信モデムに設けられた高域通過フィルター及び上記Ｂ地点の通信モデムのリセット入力部に接続された低域通過フィルターとの間を上記モデム間通信線と上記リセット信号線とを兼ねた通信及びリセット共用線で接続したことを特徴とする請求項４に記載の遠方監視制御システム。
【発明の詳細な説明】
【技術分野】
【０００１】
この発明は、遠方監視処理装置を有する中央監視局から、専用のネットワークを介し、広帯域モデム等の通信モデムを使用した通信回線により、遠方監視制御子局にある監視制御対象設備の遠方監視制御を行う遠方監視制御システムに関するものであり、詳細には、遠方監視制御システムにおける通信モデムが異常になった場合にその復旧ができるようにした遠方監視制御システムに関するものである。
ここで広帯域モデムとは、数１００ｋＨｚから数ＭＨｚ程度の周波数を上限として通信を行うモデムのことを指し示しているが、この発明は、この広帯域モデムに限るものではない。
【背景技術】
【０００２】
従来の通信システムにおいては、モデムとサーバとが通信する通信回線に、モデムに異常が発生した場合にモデムをリセットして通信を正常に復旧させる復旧装置を接続する方法がある。
【０００３】
上記復旧装置は、モデムとサーバとの通信状態を検出する通信状態検出手段と、検出した通信状態における異常を検出する通信機器異常検出手段と、モデムとサーバとの通信に異常が検出された場合にモデムをリセットする通信機器復旧手段とを備える。
【０００４】
モデムとサーバとの通信に通信異常が発生すると、モデムからサーバへの送信が停止する。それにより、通信状態検出手段及び通信機器異常検出手段は、モデムに通信異常が発生したと判断し、通信機器復旧手段がモデムをリセットし、通信を復旧させる（例えば、特許文献１参照）。
【先行技術文献】
【特許文献】
【０００５】
【特許文献１】特開２０００−０１３４６９号公報（第３頁−第４頁、図１）
【発明の概要】
【発明が解決しようとする課題】
【０００６】
この発明は、中央監視局から、専用のネットワークを介し、広帯域モデム等の通信モデムを使用した通信により、遠方監視制御子局にある監視制御対象設備を遠方監視するシステムにおいて、通信モデムに異常が発生し通信異常が生じた場合に、通信モデムをリセットして通信を復旧させるものである。
【０００７】
上記特許文献１に記載された専用の復旧装置は、通信回線に接続し設置するものであり、特に、複数の遠方監視制御子局がある場合には複数の復旧装置を通信回線に接続し設置する必要があるという問題があった。
【０００８】
この発明は、上記のような問題を解決するためになされたものであり、通信モデムによる伝送を経由する遠方監視制御システムにおいて、復旧装置を通信回線に接続し設置するのではなく、通信異常の状態を復旧させることができる遠方監視制御システムを既設の設備を利用して簡便に得ることを目的とする。
【課題を解決するための手段】
【０００９】
この発明に係る遠方監視制御システムは、遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、リセット回路を設け、
上記遠方監視処理装置は、上記Ｂ地点に設置された遠方監視制御子局からの監視情報を一定時間以上受信しない場合に、上記Ａ地点に設置された遠方監視制御子局にリセット信号を送信し、上記Ａ地点に設置された遠方監視制御子局が上記Ａ地点に設置された通信モデムのリセット回路にリセット信号を入力することにより上記Ａ地点に設置された通信モデムをリセットし、
上記Ｂ地点に設置された遠方監視制御子局は、上記遠方監視処理装置から上記監視制御命令を一定時間以上受信しない場合に、上記Ｂ地点に設置された通信モデムのリセット回路にリセット信号を入力することにより上記Ｂ地点に設置された通信モデムをリセットするものである。
【００１０】
また、遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、自通信モデムの異常時にリセット信号を発生するアラーム回路とリセット回路とを設け、
上記Ａ地点及びＢ地点の通信モデムは、上記異常が発生した際に、自通信モデムの上記アラーム回路から自通信モデムのリセット回路に上記リセット信号を出力して自通信モデムをリセットするものである。
【００１１】
また、遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、自通信モデムの異常時にアラームを発生するアラーム回路とリセット回路を設け、
上記Ａ地点の通信モデムは、上記異常が発生した際に、上記Ａ地点の遠方監視制御子局に対してアラーム信号を送信し、上記アラーム信号が送信されたＡ地点の遠方監視制御子局が上記Ａ地点の通信モデムの上記リセット回路にリセット信号を送信して上記Ａ地点の通信モデムをリセットし、
上記Ｂ地点の通信モデムは、上記異常が発生した際に、上記Ｂ地点の遠方監視制御子局に対してアラーム信号を送信し、上記アラーム信号が送信された上記Ｂ地点の遠方監視制御子局が上記Ｂ地点の通信モデムの上記リセット回路にリセット信号を送信して上記Ｂ地点の通信モデムをリセットするものである。
【００１２】
また、遠方監視処理装置を有する中央監視局が、上記中央監視局とＡ地点との間のネットワーク及び上記Ａ地点のネットワークスイッチを経由した通信により、上記Ａ地点に設置された遠方監視制御子局に監視制御命令を送信し上記Ａ地点の遠方監視制御子局に対して上記Ａ地点にある監視制御対象設備の監視制御を実行させるとともに、上記Ａ地点の遠方監視制御子局から監視情報を上記通信により取得し、さらに、上記遠方監視処理装置を有する中央監視局が、上記ネットワーク及び上記ネットワークスイッチと、上記Ａ地点に設置された通信モデムと、上記Ａ地点に設置された通信モデムに接続されたモデム間通信線とを経由したＢ地点に設置された通信モデムとの通信により、上記Ｂ地点に設置された遠方監視制御子局に監視制御命令を送信し上記Ｂ地点の遠方監視制御子局に対して上記Ｂ地点にある監視制御対象設備に対する監視制御を実行させるとともに、上記Ｂ地点の遠方監視制御子局から監視情報を上記Ｂ地点に設置された通信モデムとの通信により取得することにより遠方監視制御を行う遠方監視制御システムにおいて、
上記Ａ地点及びＢ地点の通信モデムに、リセット回路を設け、
上記Ｂ地点の通信モデムと上記Ａ地点の遠方監視制御子局とは、上記Ａ地点の遠方監視制御子局から上記Ｂ地点の通信モデムの上記リセット回路へリセット信号を送信するためのリセット信号線で接続され、
上記遠方監視処理装置は、上記Ｂ地点の遠方監視制御子局から監視情報を一定時間以上受信しない場合に、上記Ａ地点の遠方監視制御子局に対してリセット信号を送信し、上記リセット信号が送信されたＡ地点の遠方監視制御子局が上記Ａ地点の通信モデムの上記リセット回路にリセット信号を送信して上記Ａ地点の通信モデムをリセットし、上記Ａ地点の遠方監視制御子局が上記リセット信号線を経由して上記Ｂ地点の通信モデムの上記リセット回路にリセット信号を送信して上記Ｂ地点の通信モデムをリセットするものである。
【発明の効果】
【００１３】
この発明に係る遠方監視制御システムによれば、既設の通信モデムにリセット回路を設け、既設の遠方監視制御子局がリセット回路にリセット信号を入力することにより、通信モデムをリセットするようにしたものであるので、復旧装置を新規に設置することなく、既設の設備を利用して通信異常の状態から復旧させることができる遠方監視制御システムを簡便に得ることができる。
【図面の簡単な説明】
【００１４】
【図１】この発明に係る遠方監視制御システムの実施の形態１を示すブロック図である。
【図２】実施の形態１の広帯域モデムの構成を示すブロック図である。
【図３】この発明に係る遠方監視制御システムの実施の形態２を示すブロック図である。
【図４】実施の形態２の広帯域モデムの構成を示すブロック図である。
【図５】この発明に係る遠方監視制御システムの実施の形態３を示すブロック図である。
【図６】この発明に係る遠方監視制御システムの実施の形態４を示すブロック図である。
【図７】実施の形態４で使用する広帯域モデムのリセット信号及び広帯域モデム間の通信に使用する信号の周波数を示すグラフである。
【発明を実施するための形態】
【００１５】
実施の形態１．
図１は、この発明に係る遠方監視制御システムの実施の形態１を示すブロック図である。
図１において、この発明に係る遠方監視制御システムは、遠方監視処理装置８を有する中央監視局１が高速道路等の監視のために設けられた専用の幹線ネットワーク９及びＡ地点２のネットワークスイッチ４を経由した通信により、例えば、サービスエリア等のＡ地点２に設置された遠方監視制御子局１１に監視制御命令を送信しＡ地点２の遠方監視制御子局１１に対してＡ地点２にある電気設備等の監視制御対象設備１２の監視制御を実行させるとともに、Ａ地点２の遠方監視制御子局１１から監視情報を通信により取得することにより遠方監視制御を行う。また、遠方監視処理装置８を有する中央監視局１が専用の幹線ネットワーク９、Ａ地点２のネットワークスイッチ４、Ａ地点２に設置された広帯域モデム１０、Ａ地点２に設置された広帯域モデム１０に接続されたメタル集合ケーブル１３のうちのモデム間通信線３３を経由したＢ地点３に設置された広帯域モデム１４との通信により、Ｂ地点３に設置された遠方監視制御子局１５に監視制御命令を送信しＢ地点３の遠方監視制御子局１５に対してＢ地点３にある監視制御対象設備１６の監視制御を実行させるとともに、Ｂ地点３の遠方監視制御子局１５から監視情報を通信により取得することにより遠方監視制御を行う。
【００１６】
図１に示したように、ネットワークスイッチ４により遠方監視処理装置８と遠方監視制御子局１１との通信に切り替えられ、中央監視局１の遠方監視処理装置８が、Ａ地点２に設けられたから遠方監視制御子局１１に対して監視制御対象設備１２の制御命令を含む電文を送信すると、遠方監視制御子局１１はその電文を受信し、監視制御対象設備１２の制御を行う。また、遠方監視処理装置８が遠方監視制御子局１１に対して監視制御対象設備１２の監視命令を含む電文を送信すると、遠方監視制御子局１１はその電文を受信し、監視制御対象設備１２の状態を監視する。遠方監視制御子局１１は、監視で得られた情報を、ネットワークスイッチ４及び幹線ネットワーク９を経由して、中央監視局１の遠方監視制御処理装置８に送信する。
【００１７】
また、ネットワークスイッチ４により遠方監視処理装置８とＡ地点２に設置された広帯域モデム１０との通信に切り替えられ、中央監視局１の遠方監視処理装置８が、幹線ネットワーク９、Ａ地点２のネットワークスイッチ４、Ａ地点２に設置された広帯域モデム１０、モデム間通信線３３を経由してＢ地点３に設置された広帯域モデム１４と通信し、広帯域モデム１４から遠方監視制御子局１５に対して監視制御対象設備１６の制御命令を含む電文を送信すると、遠方監視制御子局１５はその電文を受信し、監視制御対象設備１６の制御を行う。また、遠方監視処理装置８が遠方監視制御子局１５に対して監視制御対象設備１６の監視命令を含む電文を送信すると、遠方監視制御子局１５はその電文を受信し、監視制御対象設備１６の状態を監視する。遠方監視制御子局１５は、監視で得られた情報を、Ｂ地点３の広帯域モデム１４、モデム間通信線３３、Ａ地点２の広帯域モデム１０、ネットワークスイッチ４及び幹線ネットワーク９を経由して中央監視局１の遠方監視制御処理装置８に送信する。
【００１８】
図２は、この実施の形態１における広帯域モデムの構成を示すブロック図である。この発明における広帯域モデム１０，１４には、広帯域モデム１０，１４をリセットするためのリセット信号がリセット入力部１７から入力されるリセット回路５５が設けられている。図１において、広帯域モデム１０のリセット入力部１７と遠方監視制御子局１１とがリセット信号線１１ａで接続される。また、広帯域モデム１４のリセット入力部１７と遠方監視制御子局１５とがリセット信号線１５ａで接続される。リセット入力部１７にリセット信号の入力があった場合、リセット回路５５が作動し広帯域モデム１０，１４がリセットされる。
【００１９】
一方、遠方監視制御子局１１及び遠方監視制御子局１５は自己が接続された広帯域モデム１０、１４に対してリセット信号を出力する機能を有する。
【００２０】
以下、広帯域モデム１０，１４の動作を説明する。
まず、広帯域モデム１０，１４がモデム間通信線３３に信号を出力する動作について説明する。
広帯域モデム１０は、ＬＡＮポート６４を経由して幹線ネットワーク９及びネットワークスイッチ４からの送信データを入力し、広帯域モデム１４は、遠方監視制御子局１５の送信データを入力する。入力された送信データは、ＬＡＮポート６４を経由してＬＡＮ制御部６５からＣＰＵ５７に転送される。ＣＰＵ５７は、転送された送信データを、広帯域モデム１０，１４間の通信プロトコルに変換する。この変換には、メモリ５６も使用される。通信プロトコルに変換された送信データは広帯域通信処理デジタルＬＳＩ５８に送られ、広帯域通信処理デジタルＬＳＩ５８は受け取った送信データをデジタル信号に変調し、広帯域通信処理アナログＬＳＩ５９に送り出す。デジタル信号を受け取った広帯域通信処理アナログＬＳＩ５９はデジタル信号からアナログ信号に変換し、アナログフロントエンド６０による信号処理を経由して、アナログ信号をラインポート６１からモデム間通信線３３に出力する。
【００２１】
次に、広帯域モデム１０，１４がモデム間通信線３３から信号を受信する動作について説明する。
広帯域モデム１０，１４の広帯域通信処理アナログＬＳＩ５９は、ラインポート６１に接続されたモデム間通信線３３から、アナログフロントエンド６０によって信号処理されたアナログ信号を入力する。広帯域通信処理アナログＬＳＩ５９は、入力したアナログ信号からデジタル信号に変換し、広帯域通信処理デジタルＬＳＩ５８に送り出す。広帯域通信処理デジタルＬＳＩ５８は受け取ったデジタル信号を復調し、受信データに変換し、ＣＰＵ５７に送り出す。
広帯域モデム１０のＣＰＵ５７は受け取った受信データを、広帯域モデム１０，１４間の通信プロトコルから、広帯域モデム１０とネットワークスイッチ４及び幹線ネットワーク９との通信のプロトコルに変換する。この変換には、メモリ５６も使用される。プロトコル変換された受信データは、ＬＡＮ制御部６５、ＬＡＮポート６４を経由してネットワークスイッチ４及び幹線ネットワーク９を介して遠方監視処理装置８に送信される。
広帯域モデム１４のＣＰＵ５７は受け取った受信データを、広帯域モデム１０，１４間の通信プロトコルから、広帯域モデム１４と遠方監視制御子局１５との通信のプロトコルに変換する。この変換には、メモリ５６も使用される。プロトコル変換された受信データは、ＬＡＮ制御部６５、ＬＡＮポート６４を経由して遠方監視制御子局１５に送信される。
【００２２】
次に、広帯域モデム１０，１４のＬＥＤ６２の動作を説明する。
ＣＰＵ５７は、広帯域モデム１０，１４が動作している状態、例えば、広帯域モデム１０，１４間の通信確立の有無を、ＬＥＤ制御部６３に出力し、ＬＥＤ制御部６３はＬＥＤ６２を点灯、あるいは消灯させる。これにより広帯域モデム１０，１４の使用者は、広帯域モデム１０，１４の動作の状態をＬＥＤ６２の点灯状態によって知ることができる。
【００２３】
以下に、遠方監視制御に通信異常が発生した場合の、遠方監視処理装置８による復旧の手順を説明する。
【００２４】
遠方監視処理装置８は、遠方監視制御子局１５から一定時間以上の間、監視情報を受信しない場合、広帯域モデム１０に異常が発生したと判断する。
【００２５】
遠方監視処理装置８はリセット命令を含む電文を幹線ネットワーク９及びネットワークスイッチ４を経由して遠方監視制御子局１１に送信する。その電文を受信した遠方監視制御子局１１は広帯域モデム１０のリセット入力部１７にリセット信号を出力することでリセット回路５５が作動し、広帯域モデム１０がリセットされる。
【００２６】
また、遠方監視制御子局１５は、遠方監視処理装置８から、一定時間以上の間、監視制御命令を受信しない場合に、広帯域モデム１４に異常が発生したと判断し、広帯域モデム１４のリセット入力部１７にリセット信号を出力することで、自動的に広帯域モデム１４をリセットする。
【００２７】
この実施の形態１によれば、広帯域モデム１０，１４を使用した遠方監視制御システムにおいて、通信回線に復旧装置を接続し設置するのではなく、既設の広帯域モデム１０，１４にリセット回路５５を設け、既設の遠方監視制御子局１１，１５がリセット入力部１７にリセット信号を送信することによりリセット回路５５が作動し、広帯域モデム１０，１４をリセットするようにしたものであるので、通信異常の状態から復旧させることができる遠方監視システムが既設の設備を利用して簡便に得られる。
【００２８】
なお、この発明の実施の形態１では、Ａ地点２とＢ地点３の２つの地点の監視制御対象設備を遠方監視制御する場合について説明したが、この発明では、さらに、Ａ地点２とＣ・・地点の監視制御対象設備を遠方監視制御する場合には、Ａ地点２にＣ・・地点の広帯域モデムと通信する広帯域モデムを設ける。
【００２９】
また、幹線ネットワーク９には、Ａ地点２の他、複数地点に広帯域モデムが接続される場合がある。
【００３０】
実施の形態２．
図３は、この発明に係る遠方監視制御システムの実施の形態２を示すブロック図である。図４は、この実施の形態２の広帯域モデムの構成を示すブロック図である。図３に示したように、この実施の形態２の遠方監視制御システムとしての構成は上記実施の形態１と同様である。この実施の形態２では、図４に示したように、広帯域モデム２２，２６にリセット入力部１７及びリセット回路５５に加えてアラーム出力部１８及びアラーム回路５４が設けられる。
【００３１】
図３に示したように、広帯域モデム２２のリセット入力部１７はリセット信号線１１ａで遠方監視制御子局１１と接続され、広帯域モデム２２のアラーム出力部１８はアラーム信号線２２ａで遠方監視制御子局１１と接続される。また、広帯域モデム２６のリセット入力部１７はリセット信号線１５ａで遠方監視制御子局１５と接続され、広帯域モデム２６のアラーム出力部１８はアラーム信号線２６ａで遠方監視制御子局１５と接続される。
【００３２】
以下に、広帯域モデム２２，２６のアラーム出力部１８及びリセット入力部１７の動作について説明する。
広帯域モデム２２，２６に異常が発生した場合、自モデムのアラーム回路５４が異常を検出し、アラーム出力部１８経由で外部にアラームを出力する。また、リセット入力部１７に入力があった場合、リセット回路５５が広帯域モデム２２，２６をリセットする。
【００３３】
広帯域モデム２２に異常が発生すると、アラーム回路５４が異常を検出し、アラーム出力部１８からアラーム信号線２２ａ経由で遠方監視制御子局１１に対してアラーム信号を送信する。遠方監視処理装置８は、遠方監視制御子局１１が受けたアラーム信号をネットワークスイッチ４、幹線ネットワーク９を経由して受信し、広帯域モデム２２に異常が発生したことを遠隔監視することができる。広帯域モデム２２からのアラーム信号を受けた遠方監視制御子局１１がリセット信号線１１ａにより自動的に広帯域モデム２２のリセット入力部１７にリセット信号を送信することでリセット回路５５が作動し、広帯域モデム２２がリセットされる。
【００３４】
また、広帯域モデム２６に異常が発生すると、アラーム回路５４が異常を検出し、アラーム出力部１８からアラーム信号線２６ａ経由で遠方監視制御子局１５に対してアラーム信号を送信する（但し、遠方監視処理装置８は、広帯域モデム２６のアラーム信号から広帯域モデム２６に異常が発生したことを遠隔監視することはできない）。広帯域モデム２６からのアラーム信号を受けた遠方監視制御子局１５がリセット信号線１５ａにより自動的に広帯域モデム２６のリセット入力部１７にリセット信号を送信することでリセット回路５５が作動し、広帯域モデム２６がリセットされる。
【００３５】
この実施の形態２によれば、広帯域モデム２２，２６にリセット入力部１７とアラーム出力部１８を設け、既設の遠方監視制御子局１１，１５が、広帯域モデム２２，２６のアラーム出力部１８からのアラームを受信すると自動的にリセット入力部１７にリセット信号を入力することによりリセット回路５５が作動し、広帯域モデム２２，２６をリセットするようにしたものであるので、復旧装置を新規に設置することなく、通信異常の状態から復旧させることができる遠方監視システムが既設の設備を利用して簡便に得られる。
【００３６】
また、広帯域モデム２２，２６がアラーム信号を発生し、このアラーム信号を受信した遠方監視制御子局１１，１５が広帯域モデム２２，２６をリセットしているので、上記実施の形態１のように遠方監視処理装置８が広帯域モデム２２，２６の異常を判断してリセットする場合に比べてより短時間で通信異常の状態から復旧させることができる。
【００３７】
また、広帯域モデム２２，２６の異常による通信異常と、例えば、メタル線３３の断線等、他の原因による通信異常とを区別することができる。
【００３８】
また、広帯域モデム２２，２６において、アラーム回路５４からリセット信号をリセット回路５５にリセット信号を直接出力して自広帯域モデム２２，２６をリセットすることがでる。上記のように、広帯域モデム２２のリセット入力部１７がリセット信号線１１ａで遠方監視制御子局１１と接続され、広帯域モデム２２のアラーム出力部１８がアラーム信号線２２ａで遠方監視制御子局１１と接続されている場合は、遠方監視処理装置８は、広帯域モデム２２に異常が発生したことを遠隔監視することができる。しかし、この場合、遠方監視処理装置８は、広帯域モデム２２に異常が発生したことを遠隔監視することができないけれども、アラーム信号線２２ａ，２６ａ及びリセット信号線１１ａ，１５ａが不要となるので、構成が簡単になる。
【００３９】
実施の形態３．
図５は、この発明に係る遠方監視制御システムの実施の形態３を示すブロック図である。
図５に示したように、この実施の形態３の遠方監視制御システムの構成は遠方監視制御子局１１と広帯域モデム１４とがリセット信号線３４で接続されている点が、上記実施の形態１と異なる。
【００４０】
広帯域モデム１０のリセット入力部１７は、Ａ地点２に設置された遠方監視制御子局１１とリセット信号線１１ａで接続される。また、広帯域モデム１４のリセット入力部１７は、遠方監視制御子局１１とリセット信号線３４で接続される。
【００４１】
遠方監視処理装置８は、遠方監視制御子局１５から監視情報を一定時間以上受信しない場合には、広帯域モデム１０及び広帯域モデム１４に異常が発生したと判断して、遠方監視処理装置８は遠方監視制御子局１１に対して広帯域モデム１０及び広帯域モデム１４のリセット命令を送信し、遠方監視制御子局１１はリセット信号線１１ａにより広帯域モデム１０のリセット入力部１７にリセット信号を送信することでリセット回路５５が作動し、広帯域モデム１０がリセットされる。また、遠方監視処理装置８から送信された広帯域モデム１４のリセット命令を、遠方監視制御子局１１がリセット信号線３４を経由して広帯域モデム１４のリセット入力部１７にリセット信号を送信することでリセット回路５５が作動し、広帯域モデム１４がリセットされる。
【００４２】
遠方監視処理装置８から遠方監視制御子局１１へのリセット命令は、遠方監視制御の通信異常の発生（監視で得られる情報が送信されない）を条件に、自動的に、または、遠方監視処理装置８の操作者による手動で送信される。
【００４３】
この実施の形態３によれば、広帯域モデム１０，１４にリセット回路５５を設け、既設の遠方監視制御子局１１が、広帯域モデム１０，１４のリセット回路５５にリセット信号を入力することにより、広帯域モデム１０，１４をリセットするようにしたものであるので、復旧装置を新規に設置することなく、既設の設備を利用して通信異常の状態から復旧させることができる遠方監視システムが簡便に得られる。
【００４４】
実施の形態４．
図６は、この発明に係る遠方監視制御システムの実施の形態４を示すブロック図である。図７は、この実施の形態４で使用する広帯域モデムのリセット信号及び広帯域モデム間の通信に使用する信号の周波数を示すグラフである。
【００４５】
図５に示した上記実施の形態３では、遠方監視制御子局１１と広帯域モデム１４との間のリセット信号線３４と、広帯域モデム１０と広帯域モデム１４との間のモデム間通信線３３とが別々になっていた。この実施の形態４では、上記実施の形態３のモデム間通信線３３とリセット信号線３４を兼ねた一本の通信線、通信及びリセット共用線４７で広帯域モデム１０と広帯域モデム１４との通信及びリセット信号の送信ができるようにしたものである。
【００４６】
図６に示したように、広帯域モデム１０に高域通過フィルター（ＨＰＦ）４５が設けられ、広帯域モデム１４に高域通過フィルター（ＨＰＦ）５１が設けられ、高域通過フィルター（ＨＰＦ）４５と高域通過フィルター（ＨＰＦ）５１とを接続する通信及びリセット共用線４７によって、広帯域モデム１０と広帯域モデム１４との通信が行われる。
【００４７】
また、図６に示したように、遠方監視制御子局１１に低域通過フィルター（ＬＰＦ）４６が設けられ、広帯域モデム１４のリセット入力部１７に低域通過フィルター（ＬＰＦ）５２が設けられ、低域通過フィルター（ＬＰＦ）４６と低域通過フィルター（ＬＰＦ）５２とを接続する通信及びリセット共用線４７によって、遠方監視制御子局１１から広帯域モデム１４のリセット入力部１７にリセット信号が送信される。
【００４８】
広帯域モデム１０と広帯域モデム１４との通信は、図７に示したように、リセット信号よりも高い周波数を使用して行う。広帯域モデム１０及び広帯域モデム１４には高域通過フィルター（ＨＰＦ）４５，５１が接続されているため、通信及びリセット共用線４７を使って送信されるリセット信号を除去し、広帯域モデム１０，１４の通信周波数帯域の信号のみを送受信することができる。また、広帯域モデム１４のリセット入力部１７には低域通過フィルター（ＬＰＦ）５２が設けられているため、広帯域モデム１４のリセット入力部１７には、通信及びリセット共用線４７を使って送信される広帯域モデム１０，１４の通信信号を除去し、遠方監視制御子局１１からのリセット信号のみが入力される。
【００４９】
この実施の形態４によれば、広帯域モデム１０，１４間の通信とリセット信号の送信とを一つの通信線である通信及びリセット共用線４７で共用することができるので、メタル集合ケーブル１３の中で使用するメタル線の芯線数を低減することができる。
【産業上の利用可能性】
【００５０】
この発明に係る遠方監視制御システムは、高速道路のサービスエリア内にある電気室等、監視制御対象設備を、専用に設けられた通信回線により遠方監視制御を行う遠方監視制御システムにおいて、通信機器が異常状態となり通信異常が発生した場合にその復旧ができるようにした遠方監視制御システムを簡易に得るのに有効に利用することができる。
【符号の説明】
【００５１】
１  中央監視局、２  Ａ地点、３  Ｂ地点、４  ネットワークスイッチ、
８  遠方監視処理装置、９  幹線ネットワーク、
１０，１４，２２，２６  広帯域モデム、１１，１５  遠方監視制御子局、
１１ａ，１５ａ，３４  リセット信号線、１２，１６  監視制御対象設備、
１３  メタル集合ケーブル、３３  モデム間通信線、１７  リセット入力部、
２２ａ，２６ａ  アラーム信号線、４５，５１  高域通過フィルター（ＨＰＦ）、
４６，５２  低域通過フィルター（ＬＰＦ）、５４  アラーム回路、
５５  リセット回路、５６  メモリ、５７  ＣＰＵ、
５８  広帯域通信処理デジタルＬＳＩ、５９  広帯域通信処理アナログＬＳＩ、
６０  アナログフロントエンド、６１  ラインポート、６２  ＬＥＤ、
６３  ＬＥＤ制御部、６４  ＬＡＮポート、６５  ＬＡＮ制御部。
【図１】
2012123698.tif 000003
【図２】
2012123698.tif 000004
【図３】
2012123698.tif 000005
【図４】
2012123698.tif 000006
【図５】
2012123698.tif 000007
【図６】
2012123698.tif 000008
【図７】
2012123698.tif 000009